【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
ルーティングテーブル情報の取得元となるソースを、前記ソースを示す位置データに少なくとも部分的には基づいて決定するステップと、
デバイスホスト(DH)から構成情報を受信するステップと、
近距離通信制御装置(NFCC)が1つまたは複数のセキュアコンピューティング環境または前記DHから前記ルーティングテーブル情報を受信するように構成されていることを示す前記位置データに応答して、前記構成情報に含まれるDHに基づくルーティングテーブル情報を除去するステップと、
前記1つまたは複数のセキュアコンピューティング環境のうちの少なくとも1つからセキュアルーティングテーブル情報を取得するステップとを含む、方法。
【請求項２】
前記ソースを決定するステップが、
1つまたは複数のルーティングテーブル位置オプションビットが、前記NFCCが前記1つまたは複数のセキュアコンピューティング環境または前記DHから前記ルーティングテーブル情報を受信できるようにするように設定されていると判定するステップを含む、請求項1に記載の方法。
【請求項３】
前記受信した構成情報に含まれる前記DHに基づくルーティングテーブル情報を除去するステップが、
前記DHから受信した前記構成情報に含まれる前記DHに基づくルーティングテーブル情報を破棄するステップ、および
前記DHから受信した前記構成情報に含まれる前記DHに基づくルーティングテーブル情報を格納するステップのうちの1つを含む、請求項1に記載の方法。
【請求項４】
前記1つまたは複数のセキュアコンピューティング環境のうちの前記少なくとも1つから前記セキュアルーティングテーブル情報を取得することに失敗したと判定されたのに応答して、前記DHに基づくルーティングテーブル情報を取得するステップをさらに含む方法であって、前記DHに基づくルーティングテーブル情報を取得するステップが、
前記DHに格納される前記DHに基づくルーティングテーブル情報を取得するステップ、
および
前記NFCCに結合された記憶デバイスであって、前記DHから受信した前記構成情報から前記DHに基づくルーティングテーブル情報を除去した後で前記除去したDHに基づくルーティングテーブル情報を格納する記憶デバイスから、前記除去したルーティングテーブル情報を取得するステップのうちの1つを含む、請求項1に記載の方法。
【請求項５】
前記1つまたは複数のセキュアコンピューティング環境が、第1のセキュアコンピューティング環境および第2のセキュアコンピューティング環境を含む方法であって、
前記第1のセキュアコンピューティング環境に関連する第1のルーティングテーブル情報、および前記第2のセキュアコンピューティング環境に関連する第2のルーティングテーブル情報を受信するステップと、
前記第1のルーティングテーブル情報を選択するステップとをさらに含む、請求項1に記載の方法。
【請求項６】
前記第1のルーティングテーブル情報および前記第2のルーティングテーブル情報を選択するステップと、
前記第1のルーティングテーブル情報と前記第2のルーティングテーブル情報を結合してハイブリッドルーティングテーブルを生成するステップとをさらに含む、請求項5に記載の方法。
【請求項７】
前記1つまたは複数のセキュアコンピューティング環境に関連するセキュアルーティングテーブル情報の優先順位データを受信するステップと、
前記受信したセキュアルーティングテーブル情報の優先順位データに基づいて、前記1つまたは複数のセキュアコンピューティング環境のうちの前記少なくとも1つから取得した前記セキュアルーティングテーブル情報を利用するか、前記DHから前記DHに基づくルーティングテーブル情報を取得するかを判定するステップとをさらに含む、請求項1に記載の方法。
【請求項８】
前記1つまたは複数のセキュアコンピューティング環境のうちの前記少なくとも1つが、セキュアエレメント、仮想セキュアエレメント、NFC実行環境、スマートカード、ユニバーサル集積回路カード、加入者識別モジュール、前記セキュアコンピューティング環境を含むSDカード、および前記セキュアコンピューティング環境を含むユニバーサルシリアルバス(USB)型デバイスからなる一群から選択される、請求項1に記載の方法。
【請求項９】
ルーティングテーブル情報の取得元となるソースを、前記ソースを示す位置データに少なくとも部分的には基づいて決定するための手段と、
デバイスホスト(DH)から構成情報を受信するための手段と、
近距離通信制御装置(NFCC)が1つまたは複数のセキュアコンピューティング環境または前記DHから前記ルーティングテーブル情報を受信するように構成されていることを示す前記位置データに応答して、前記構成情報に含まれるDHに基づくルーティングテーブル情報を除去するための手段と、
前記1つまたは複数のセキュアコンピューティング環境のうちの少なくとも1つからセキュアルーティングテーブル情報を取得するための手段とを含む、ワイヤレス通信用の装置。
【請求項１０】
前記ソースを決定するための手段が、
1つまたは複数のルーティングテーブル位置オプションビットが、NFCCが前記1つまたは複数のセキュアコンピューティング環境または前記DHから前記ルーティングテーブル情報を受信できるようにするように設定されていると判定するための手段を含む、請求項9に記載の装置。
【請求項１１】
前記受信した構成情報に含まれる前記DHに基づくルーティングテーブル情報を除去するための手段が、
前記DHから受信した前記構成情報に含まれる前記DHに基づくルーティングテーブル情報を破棄するための手段、および
前記DHから受信した前記構成情報に含まれる前記DHに基づくルーティングテーブル情報を格納するための手段のうちの1つを含む、請求項9に記載の装置。
【請求項１２】
前記1つまたは複数のセキュアコンピューティング環境のうちの前記少なくとも1つから前記セキュアルーティングテーブル情報を取得することに失敗したと判定されたのに応答して、前記DHに基づくルーティングテーブル情報を取得するための手段をさらに含む装置であって、前記DHに基づくテーブル情報を取得するための手段が、
前記DHに格納される前記DHに基づくルーティングテーブル情報を取得するための手段、および
前記NFCCに結合された記憶デバイスであって、前記DHから受信した前記構成情報から前記DHに基づくルーティングテーブル情報を除去した後で前記除去したDHに基づくルーテ情報を格納する記憶デバイスから、前記除去したルーティングテーブル情報を取得するための手段のうちの1つを含む、請求項9に記載の装置。
【請求項１３】
前記1つまたは複数のセキュアコンピューティング環境が、第1のセキュアコンピューティング環境および第2のセキュアコンピューティング環境を含む装置であって、
前記第1のセキュアコンピューティング環境に関連する第1のルーティングテーブル情報、および前記第2のセキュアコンピューティング環境に関連する第2のルーティングテーブル情報を受信するための手段と、
前記第1のルーティングテーブル情報を選択するための手段とをさらに含み、
さらに、
前記第1のルーティングテーブル情報および前記第2のルーティングテーブル情報を選択するための手段と、
前記第1のルーティングテーブル情報と前記第2のルーティングテーブル情報を結合してハイブリッドルーティングテーブルを生成するための手段とをさらに含む、請求項9に記載の装置。
【請求項１４】
前記1つまたは複数のセキュアコンピューティング環境に関連するセキュアルーティングテーブル情報の優先順位データを受信するための手段と、
前記受信したセキュアルーティングテーブル情報の優先順位データに基づいて、前記1つまたは複数のセキュアコンピューティング環境のうちの前記少なくとも1つから取得した前記セキュアルーティングテーブル情報を利用するか、前記DHから前記DHに基づくルーティングテーブル情報を取得するかを判定するための手段とをさらに含む、請求項9に記載の装置。
【請求項１５】
請求項1乃至8の何れかに記載の方法を実施するためのコードを含むコンピュータプログラム。